(57)【要約】【課題】チャンネルを絞り込んで使用しやすい映像受信装置の視聴環境を得る技術を提供する。【解決手段】ユーザーに入力された場所情報を外部のサーバーに送信する送信手段と、この外部のサーバーから前記場所情報に基づくチャンネルリスト設定情報を受信する受信手段と、このチャンネルリスト設定情報のうち受信可能なチャンネルをスキャンするスキャニング手段と、この受信可能なチャンネルの情報をチャンネルリストにまとめるリスト手段とを備えたことを特徴とする映像受信装置。【選択図】  図３
2011211658.tif 000002
【特許請求の範囲】
【請求項１】
ユーザーに入力された場所情報を外部のサーバーに送信する送信手段と、
この外部のサーバーから前記場所情報に基づくチャンネルリスト設定情報を受信する受信手段と、
このチャンネルリスト設定情報のうち受信可能なチャンネルをスキャンするスキャニング手段と、
この受信可能なチャンネルの情報をチャンネルリストにまとめるリスト手段とを
備えたことを特徴とする映像受信装置。
【請求項２】
前記送信手段は、ユーザーに入力された嗜好情報を前記場所情報に加えて外部のサーバーに送信することを特徴とする請求項１に記載の映像受信装置。
【請求項３】
前記送信手段は、ユーザーに入力されたチャンネルリストの上限数を前記場所情報に加えて外部のサーバーに送信することを特徴とする請求項１に記載の映像受信装置。
【請求項４】
ユーザーに指定された場所情報に基づくチャンネルリスト設定情報を入力する入力手段と、
このチャンネルリスト設定情報のうち受信可能なチャンネルをスキャンするスキャニング手段と、
この受信可能なチャンネルの情報をチャンネルリストにまとめるリスト手段とを
備えたことを特徴とする映像受信装置。
【請求項５】
更に表示手段を備え、この表示手段は前記チャンネルリストを表示することを特徴とする請求項１または請求項４に記載の映像受信装置。
【請求項６】
ユーザーに入力された場所情報を外部のサーバーに送信し、
この外部のサーバーから前記場所情報に基づくチャンネルリスト設定情報を受信し、
このチャンネルリスト設定情報のうち受信可能なチャンネルをスキャンし、
この受信可能なチャンネルの情報をチャンネルリストにまとめることを特徴とする映像受信方法。
【発明の詳細な説明】
【技術分野】
【０００１】
本発明は、映像受信装置に係わり、特にチャンネルリストデータベースを用いる方法に関する。
【背景技術】
【０００２】
映像受信装置においては、チャンネルの選択においてユーザーインターフェースが工夫されてきている。例えば特許文献１には、ユーザーインターフェースの構造が変化する、という内容が記載されている。この為の情報は、実際の放送波やインターネットから取得するとある。例えば、チャンネルが0から999まであった場合は、ジャンル毎に分類し、階層的にチャンネルを選択できる様にするとある。
【０００３】
蓋し特許文献１では、チャンネルを分類することをユーザーインターフェースの変更例として説明している。しかしながら分類等の扱いの前に、多数のチャンネルを絞り込んで使用しやすい視聴環境を提供することが求められている。ここで、視聴環境とは、チャンネルリストをはじめとする、個々のユーザーにより設定が可能な、テレビで使用する機能を指す。
【先行技術文献】
【特許文献】
【０００４】
【特許文献１】特開２００７−２０１７６０号公報（段落番号０１５１）
【発明の概要】
【発明が解決しようとする課題】
【０００５】
本発明は、チャンネルを絞り込んで使用しやすい映像受信装置の視聴環境を得る技術を提供することを目的とする。
【課題を解決するための手段】
【０００６】
上記課題を解決するために、本発明の映像受信装置は、ユーザーに入力された場所情報を外部のサーバーに送信する送信手段と、この外部のサーバーから前記場所情報に基づくチャンネルリスト設定情報を受信する受信手段と、このチャンネルリスト設定情報のうち受信可能なチャンネルをスキャンするスキャニング手段と、この受信可能なチャンネルの情報をチャンネルリストにまとめるリスト手段とを備えたことを特徴とする。
【発明の効果】
【０００７】
本発明によれば、チャンネルを絞り込んで使用しやすい映像受信装置及び映像受信方法が得られる。
【図面の簡単な説明】
【０００８】
【図１】この発明の一実施形態を示すシステム構成図。
【図２】別の実施形態のシステム構成図。
【図３】実施形態のユーザー入力情報の例を説明するために示す図。
【図４】別の実施形態のストレージメディアの利用例を示す図。
【図５】実施形態に用いられるチャンネルリストの生成を示す図。
【図６】実施形態のチャンネルリスト設定情報を更新した場合のチャンネルリスト設定情報を示す図。
【図７】実施形態のチャンネルリスト設定情報を更新した場合のチャンネルリストを示す図。
【図８】実施形態に係わる情報記録再生装置内の詳細な構成を示すブロック図。
【発明を実施するための形態】
【０００９】
本発明による実施形態を図１乃至図８を参照して説明する。
まず図８は、この発明の映像受信装置の一実施形態に係わる情報記録再生装置１００のブロック構成図である。
図８の情報記録再生装置１００では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。図８において、各ブロックを大きく分けると、中央及び上部の左側には記録部の主なブロックを示し，同右側には再生部の主なブロックを示している。
【００１０】
図８の情報記録再生装置１００は、ディスクドライブ部１００２と、ハードディスクドライブ部１００４の２種類のディスクドライブ部を有する。ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。また、ハードディスクドライブ部１００４は、ハードディスクを駆動する。
【００１１】
データプロセッサ（Ｄ−ＰＲＯ）部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【００１２】
またこの情報記録再生装置１００は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１３】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１４】
エンコーダ部５０からのエンコード出力は、バッファメモリ５２を含むフォーマッタ５１にて所定のＤＶＤのフォーマットに変換され、先のデータプロセッサ部１００３に供給される。
【００１５】
なおトランスポートストリームから抽出したパケットエレメンタリーストリームがエンコーダ部５０から直接ハードディスクドライブ部１００４のハードディスクに記録される場合もある。
【００１６】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｂ、地上波デジタルチューナ４１ｃ、衛星ＢＳ／ＣＳチューナ４１ｄ，衛星アナログチューナ４１ｅからの受信信号が選択的に入力することができる。
【００１７】
また、エンコーダ部５０で複数のデコーダが活用される場合、地上波デジタルチューナ４１ｃで受信した番組がハードディスクドライブ部１００４で録画され、同時に、衛星ＢＳ／ＣＳチューナ４１ｄで受信した番組を視聴することも可能である。
【００１８】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオ（Ｖ）ミキシング部７１やオーディオセレクタ７６に直接供給することもできる。
【００１９】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。
【００２０】
デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２１】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部４１ｂ〜４１ｅのいずれかで受信された場合は、ＤＶＤビデオ信号中の副映像信号が副映像エンコーダでエンコード（ランレングス符号化）されて副映像のビットマップとなる。
【００２２】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ−Ｖｉｄｅｏフォーマット）や、ＤＶＤ-レコーディング規格で規定されたフォーマット（ＤＶＤ−ＶＲフォーマット）に変換される。フォーマッタ５１は、上記の変換処理のとき、バッファメモリ５２も利用する。
【００２３】
この情報記録再生装置１００では、フォーマッタ５１でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。
【００２４】
またハードディスクあるいは光ディスク１００１に記録された情報を、データプロセッサ部１００３、ディスクドライブ部１００２を介して光ディスク１００１あるいはハードディスクに記録することもできる。
【００２５】
さらにハードディスクあるいは光ディスク１００１に記録されている複数番組のビデオオブジェクトを、一部削除する、異なる番組のオブジェクトとつなげる、といった編集処理を行なうこともできる。
【００２６】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００２７】
マイクロコンピュータブロック３０は、ネットワークインターフェース３２０を介して、外部ネットワークに接続することが可能である。これにより、外部のサーバ１１から後述のチャンネルリスト設定情報を取り込むことが可能となる。
【００２８】
さらにマイクロコンピュータブロック３０のＭＰＵは、ＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００２９】
またマイクロコンピュータブロック３０は、装置の各ブロックを統括して制御するために必要な情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。またマイクロコンピュータブロック３０は、録画を実行する際の管理情報の制御部と、編集を実行する際の管理情報の制御部をも備える。
【００３０】
さらに、マイクロコンピュータブロック３０には、  先に説明したように、ＥＰＧ情報処理部３０１、チャンネルリスト生成部３０２、契約情報記憶部３０３を有する。またこのような操作が行われるときのグラフィックユーザーインターフェースとして、表示制御部３１４を有する。また、録画予約情報に基づいて、チューナなどを制御する受信制御部３１１、番組を録画するために記録制御部３１２、記録番組を再生するために再生制御部３１３を有する。
【００３１】
さらに、後述するチャンネルのリスト表示を行なうための属性情報等を記憶するものとして、嗜好データベース３２１、ジャンルデータベース３２２、表示フォーマット記憶部３２３を有する。
【００３２】
ＭＰＵの実行結果のうち、ユーザーに通知すべき内容は、この情報記録再生装置１００の表示部８１に表示されるか、またはモニタ３００１にＯＳＤ（オンスクリーンディスプレイ）表示される。
【００３３】
またマイクロコンピュータブロック３０は、この装置を操作するための操作信号を与えるキー操作入力部８２を有する。このキー操作入力部８２は、例えば情報記録再生装置１００の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザーがこのキー操作入力部８２を操作することにより、入力された映像音声信号の録画処理や、録画されたコンテンツの再生処理、あるいは録画されたコンテンツに対する編集処理などを施すことができる。
【００３４】
なお、マイクロコンピュータブロック３０が、ディスクドライブ部１００２、ハードディスクドライブ部１００４、データプロセッサ部１００３、エンコーダ部５０及び／またはデコーダ部６０などを制御するタイミングは、ＳＴＣ（システムタイムクロック）３１からの時間データに基づいて実行することができる。録画や再生の動作は、通常はＳＴＣ３１からのタイムクロックに同期して実行されるが、それ以外の処理はＳＴＣ３１とは独立したタイミングで実行されてもよい。
【００３５】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。
【００３６】
またデコードされた主映像にデコードされた副映像を適宜合成し、主映像にメニュー、ハイライトボタン、字幕やその他の副映像を重ねて出力するビデオプロセッサを備えている。
【００３７】
デコーダ部６０の出力ビデオ信号は、ビデオミキシング部７１に入力される。ビデオミキシング部７１では、例えばテキストデータの合成が行われる。またビデオミキシング部７１には、各ＴＶチューナ４１ｂ〜４１ｅやＡＶ入力部４１aからの信号を直接取り込むラインもまた接続されている。
【００３８】
ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００３９】
デコーダ部６０の出力オーディオ信号は、セレクタ７６を介してデジタル／アナログ（Ｄ／Ａ）変換器７７でアナログ変換され外部に出力される。セレクタ７６は、マイクロコンピュータブロック３０からのセレクト信号により制御される。これによりセレクタ７６は、各ＴＶチューナ４１ｂ〜４１ｅやＡＶ入力部４１aからのデジタル信号を直接モニタする時、エンコーダ部５０をスルーした信号を直接選択することも可能である。
【００４０】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００４１】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行なわれる。
【００４２】
また本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行なっている。
【００４３】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部１００４に供給している。
【００４４】
またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行なわれているとき、エンコーダ部５０からマイクロコンピュータブロック３０のＭＰＵは、データ単位の情報（切り分け情報など）を受け取る。
【００４５】
また、マイクロコンピュータブロック３０のＭＰＵは、記録開始時には光ディスク１００１及びハードディスクから読み取った管理情報（ファイルシステム）を認識し、各ディスクの未記録エリアを認識し、データ上の記録エリアをデータプロセッサ部１００３から当該ディスクに設定している。
【００４６】
なお、後述の図３のようにユーザーにジャンルを入力された場合、ジャンルに対応した情報が随時マイクロコンピュータブロック３０の嗜好データベース３２１あるいはジャンルデータベース３２２に記憶されるものとする。
【００４７】
さて図1は、映像受信装置が直接インターネットと接続されている場合の構成図である。
情報記録再生装置１００はインターネット１０を介してサーバー１１と接続される。サーバー１１内にある情報記録再生装置１００のメーカー等のチャンネルリスト設定情報提供者により提供されるチャンネルリストデータベースへ、インターネット１０経由でアクセスする場合の構成を示している。
【００４８】
図2は、映像受信装置は直接にはインターネットと接続されていないが、PC（パーソナルコンピューター）２０からチャンネルリストデータベースへインターネット経由でアクセスする場合の構成を示している。この場合、生成されたチャンネルリスト設定情報はストレージメディア２１を使用して、PC２０から映像受信装置へと入力される。
【００４９】
図２の記録メディアは、フロッピー（登録商標）のイラストで示してあるが、他の記録メディアでも良い。記録メディア(USBや光ディスク１００１等)は適宜選べるようにしてもよい。
【００５０】
図3は、実施形態でチャンネルリスト設定情報を生成するのに用いられるユーザー情報、及び、ユーザーの嗜好を入力する際のユーザーインターフェースの例である。
【００５１】
図3（ａ）のように国を選択するプロンプトがモニタ３００１の画面に表示される。国としてはドイツにフォーカスされている状態であり、キー操作入力部８２やリモコンの移動ボタンや決定ボタンを押して選択する。図3（ｂ）はこの選択に続く画面表示例であり、郵便番号を入力するプロンプトがモニタ３００１の画面に表示される。キー操作入力部８２やリモコンの数字ボタンやチャンネルボタンを押して入力する。例えばドイツに関しては５桁の数字を入力する。
【００５２】
この選択に続き図3（ｃ）のように、好みのジャンルを入力するプロンプトがモニタ３００１の画面に表示される。ジャンルとしてはコメディにフォーカスされている状態であり、キー操作入力部８２やリモコンの移動ボタンや決定ボタンを押して選択する。続く図3（ｄ）はチャンネルリストの上限数を入力するための画面である。キー操作入力部８２やリモコンの数字ボタンやチャンネルボタンを押して入力する。この例では２５と入力されている。このあと決定ボタンを押して終了する。
【００５３】
図4は、図2類似の形態で本発明を利用した場合の一例で、ユーザーが直接インターネットに接続できなくても、別の人(例えば、セールスパーソン)が、あらかじめユーザーの希望を聞き、設定情報を取得しておきストレージメディア２１を介して供給する事が可能である様子を示している。
【００５４】
ユーザーの希望を聞いたセールスパーソンが記録メディアを使用して、映像受信装置の設定をしても良い。また、セールスパーソンが来なくても、ユーザーが電話でオペレーターに希望を伝え、記録メディアを郵送でユーザーに発送しても良い。
【００５５】
図5は、データベースより生成されたチャンネルリスト設定情報より、実際の電波の状態を確認し、最終的にユーザーが使用するチャンネルリストを生成している様子を示している。
【００５６】
チャンネルリスト設定情報のチャンネル７つのうち電波の状態（受信状況）がＯＫのチャンネル５つをチャンネル数が２５以下なので全てチャンネルリストに入れている。
【００５７】
図6と図7は、ユーザーが最初に実施形態を利用し、チャンネルリストを設定し、約6年後に再度チャンネルリスト設定情報を更新した場合に、新たにチャンネルが増えていた場合の実施例を示している。新たなチャンネルが存在した場合は、ユーザーにその旨を通知する様に強調表示を行っても良い。(強調表示を行う期間は数日でも良いし、ユーザーに強調表示を停止する様な命令操作を行わせても良い。)
【００５８】
例ではnewTV1とnewTV3の２つのチャンネルが追加されている。
実施形態の特徴は以下のようである。
（Ａ）チャンネルリスト作成に、AutoScanほどの時間を使用しない。(言わばVirtual Auto Scan)
（Ｂ）従来は受信装置内、及び、リモコンを使用したユーザーインターフェースを使用して、膨大な量のチャンネルからリストを設定するという煩わしい操作をユーザーが行っていたが、本発明ではインターネットを利用して、データベースにアクセスしチャンネルリスト設定情報を生成させる手段により、チャンネルリストの作成を容易に行える様になった。
【００５９】
（Ｃ）放送波では取得することができない、チャンネルの情報を取得する事ができる。
以上概要として映像受信装置は、ユーザー入力により、使用される場所の情報(郵便番号)等をインターネットを経由して、データベースに送信する。データベースは、入力された情報より、チャンネルリスト設定情報を作成し、映像受信装置に返信する。返信されたチャンネルリスト設定情報より、以下のように映像受信装置で使用するチャンネルリストを設定して放送波のスキャンを行う。
【００６０】
（１）ユーザーが装置が使用される場所の情報等(郵便番号等)を、チャンネルリスト設定情報提供者に送信する。チャンネルリスト設定情報提供者は、入力された情報により、チャンネルリスト設定情報を作成し、ユーザーに返信する。チャンネルリスト設定情報は、映像受信装置が視聴可能な放送波の変調方式・周波数帯・中心周波数の情報、その他の情報等を有しており、ピンポイントに放送波をスキャンする事ができる。返信されたチャンネルリスト設定情報を入力として受け付け、チャンネルリストを設定することができる事を特徴とする映像受信装置。
【００６１】
（２）映像受信装置は、ユーザー入力により、使用される場所の情報等をインターネットを経由して、データベースに送信する。データベースは、入力された情報より、チャンネルリスト設定情報を作成し、映像受信装置に返信する。返信されたチャンネルリスト設定情報より、映像受信装置で使用するチャンネルリストを設定することを特徴とする映像受信装置。
【００６２】
（３）ユーザーがチャンネルリスト設定情報提供者から、チャンネルの増減等の情報を通知してもらえる事を特徴とする映像受信装置。
（４）映像受信装置内のチャンネルリスト設定情報は、最新の情報を反映している事を定期的に確認する事を特徴とする映像受信装置。
（５）データベースに送信する情報が、映像受信装置が使用される場所の情報(郵便番号等)のみでは、チャンネル数が膨大となってしまう場合は、嗜好に合わないものを候補から削除し、チャンネル数を絞り込むためにユーザーの嗜好情報を送信することができる事を特徴とする請求項２の映像受信装置。
【００６３】
（６）実施形体の1つとしては、映像受信装置は、AutoTuning前にデータベースより、チャンネルリスト設定情報を取得し、その後、映像受信装置が実際の番組の受信を試みて、実際に受信できた番組のみをユーザーが使用するテレビのチャンネルリストとする。(Virtual Auto Scanと呼ぶ。)
【００６４】
（７）別の実施形体としては、チャンネルリスト設定情報のやりとりを映像受信装置とインターネットが直接接続されておらず、記録メディアを使用して、PCからデータベースにアクセスし、PCから記録メディアにチャンネルリスト設定情報をコピーし、その記録メディアから映像受信装置へ入力しても良い。この場合はデータベースで行っていたチャンネルリスト作成処理の一部、または全部をPCに肩代わりさせる様にしても良い。(PCがチャンネルリスト作成処理を行う場合は、データベースと通信をし、最新の情報であるかどうか、確認処理を行い、最新の情報を常に使用する様に工夫をする。)
【００６５】
（８）別の実施例としては、一度、データベースを利用してチャンネルリストが作成されており、データベースを用いてリストを更新する場合は、前回のリスト作成日時をサーバーに通知し、新規のチャンネルが存在した場合、チャンネルリスト設定情報に新規チャンネルを強調させる情報を付加しても良い。
【００６６】
即ち本実施形態ではチャンネル数を絞り込む事、そして実際に映像受信装置で受信できるかどうかを確認する事を行い、実際に使用する事のできるチャンネルリストの作成を行う。この効果として、使用しやすいユーザーインターフェースを提供している。
【００６７】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００６８】
１１…サーバー、２０…ネットワーク、３０…マイクロコンピュータブロック、８１…表示部、８２…キー操作入力部、９０…アンテナ部、１００…情報記録再生装置、３０１…ＥＰＧ情報処理部、３０２…チャンネルリスト生成部、３０３…契約情報記憶部、３０６…録画予約処理部、３２０…ネットワークインターフェイス（Ｉ／Ｆ）、４００…受信部、５００…記録処理部、６００…再生処理部、７００…出力部、１０００…記録メディア部、３００１…モニタ。
【図１】
2011211658.tif 000003
【図２】
2011211658.tif 000004
【図３】
2011211658.tif 000005
【図４】
2011211658.tif 000006
【図５】
2011211658.tif 000007
【図６】
2011211658.tif 000008
【図７】
2011211658.tif 000009
【図８】
2011211658.tif 000010
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
ユーザーに入力された場所情報とチャンネルリストの上限数を含むユーザー入力情報を外部のサーバーに送信する送信手段と、
前記ユーザー入力情報に基づいて前記サーバーにて生成されたチャンネルリスト設定情報を受信する受信手段と、
このチャンネルリスト設定情報に基づいてチャンネルをスキャンするスキャニング手段と、
前記スキャニング手段によりスキャニングされたチャンネルの情報をチャンネルリストにまとめるリスト手段とを
備えたことを特徴とする映像受信装置。
【請求項２】
前記送信手段は、ユーザーに入力された嗜好情報を前記ユーザー入力情報に加えて前記サーバーに送信することを特徴とする請求項１に記載の映像受信装置。
【請求項３】
ユーザーに指定されたチャンネルリストの上限数を含むユーザー入力情報に基づくチャンネルリスト設定情報を入力する入力手段と、
このチャンネルリスト設定情報に基づいてチャンネルをスキャンするスキャニング手段と、
前記スキャニング手段によりスキャニングされたチャンネルの情報をチャンネルリストにまとめるリスト手段とを
備えたことを特徴とする映像受信装置。
【請求項４】
更に表示手段を備え、この表示手段は前記チャンネルリストを表示することを特徴とする請求項１または請求項３に記載の映像受信装置。
【請求項５】
前記チャンネルリスト設定情報はチャンネル毎の周波数情報を含み、
前記スキャニング手段は前記周波数情報を用いてチャンネルをスキャンすることを特徴とする請求項１または請求項３に記載の映像受信装置。
【請求項６】
ユーザーに入力された場所情報とチャンネルリストの上限数を含むユーザー入力情報を外部のサーバーに送信し、
前記ユーザー入力情報に基づいて前記サーバーにて生成されたチャンネルリスト設定情報を受信し、
このチャンネルリスト設定情報に基づいてチャンネルをスキャンし、
前記スキャニングされたチャンネルの情報をチャンネルリストにまとめることを特徴とする映像受信方法。
【手続補正２】
【補正対象書類名】明細書
【補正対象項目名】０００６
【補正方法】変更
【補正の内容】
【０００６】
上記課題を解決するために、本発明の映像受信装置は、ユーザーに入力された場所情報とチャンネルリストの上限数を含むユーザー入力情報を外部のサーバーに送信する送信手段と、前記ユーザー入力情報に基づいて前記サーバーにて生成されたチャンネルリスト設定情報を受信する受信手段と、このチャンネルリスト設定情報に基づいてチャンネルをスキャンするスキャニング手段と、前記スキャニング手段によりスキャニングされたチャンネルの情報をチャンネルリストにまとめるリスト手段とを備えたことを特徴とする。